(57)【要約】【課題】現在、インターネット上のショッピングサイトで広く採用されているキーワード検索とカテゴリー検索は、ユーザが常に商品に関連するキーワードやカテゴリーを推測する必要があり、目的の商品を見つけるまでに複数回の検索を余儀なくされていた。以上の問題を解決するため、ユーザの特定の状況を想定し、キーワードではなく自然言語文による入力を可能とした衣服推薦システムを提供する。【解決手段】ユーザの状況に基づいた衣服推薦システム１６は、ユーザ１５から入力された自然言語文を機構９で形態素解析し、機構１０で一致する単語の指標、指標の範囲と属性を抽出し、以上の指標等と一致する衣服を機構１１で衣服情報DB２から抽出する。最後に機構１２で推薦衣服をカテゴリー分けし、画面上に表示する。【選択図】図１
2009140032.tif 000002
【特許請求の範囲】
【請求項１】
衣服情報を記録したデータベースからユーザにより入力された状況に基づき、ユーザの状況に合った衣服を推薦することを特徴とする衣服推薦システム。
【請求項２】
請求項１において、ユーザが何らかの行事に参加するという特定の状況を想定し、ユーザがこれから参加する行事と供に参加する人を入力することを特徴とする衣服推薦システム。
【請求項３】
請求項１において、入力された文章を形態素解析し、解析結果を衣服の検索に用いることを特徴とする衣服推薦システム。
【請求項４】
請求項１での衣服データベースに登録されている各衣服へ性質を表す６つの指標を付加し、さらに行事と人を示す単語にも指標を付加した単語辞書を用いることを特徴とする衣服推薦システム。
【請求項５】
請求項３の解析結果に含まれる単語を請求項４の単語辞書から検索し、一致した単語に付加されている指標を衣服検索に利用することを特徴とする衣服推薦システム。
【請求項６】
請求項５で一致した単語の指標と一致する衣服を請求項４の衣服データベースから抽出することを特徴とする衣服推薦システム。
【請求項７】
請求項６において、抽出された衣服を画面上に出力し、これをユーザがアバター部で自由にコーディネート可能であることを特徴とする衣服推薦システム。
【請求項８】
請求項３において、ユーザが行事に参加する時に同行する人により推薦衣服を変化させることを特徴とする衣服推薦システム。
【請求項９】
ユーザが持っている商品を事前に登録することにより、本システムが推薦した衣服とアバター部で自由にコーディネート可能であることを特徴とする衣服推薦システム。
【発明の詳細な説明】
【技術分野】
【０００１】
本発明は、各衣服に６つの指標が付加されている衣服データベースからユーザの自然言語文による入力から単語辞書に含まれる単語を抽出し、以上の単語に付加されている指標と一致する指標を持つ衣服を推薦する衣服推薦システムに関する。
【背景技術】
【０００２】
現在、インターネット上ではショッピングサイトが多く存在し、こういったショッピングサイトは様々なカテゴリー（種類）の商品を取り扱っており、多くのユーザによって利用されている。
このようなショッピングサイトの多くは、商品に関連したキーワードにより商品検索を行うキーワード検索やカテゴリー別に商品を検索するカテゴリー検索が多く採用されている。
【発明の開示】
【発明が解決しようとする課題】
【０００３】
しかし、上記のようなショッピングサイトはユーザが購入する商品が明確でない時にこれのキーワードを推測し目的の商品を大規模な商品データベースから見つけ出すには、複数回の検索を余儀なくされる。以上のような問題を解消する新たな仕組みが求められていた。
また、各ユーザの購入履歴から似たような商品を購入しているユーザへ商品を推薦する強調フィルタリングなどの技術を導入したショッピングサイトもあるが、ユーザがどういった商品を求めているのかを考慮した仕組みになっていないため依然ユーザが商品検索時に抱える負担は解消されていない。
【課題を解決するための手段】
【０００４】
したがって、本発明はユーザの状況を自然言語文によって入力し、以上の入力によって商品を推薦する衣服推薦システムを提供する事を目的として、次のような方法、システムを提案する。
すなわち、請求項１では入力フォームへユーザが状況を自然言語文で入力する。入力文から衣服を推薦する方法において、システムを行事や人を示す単語を収録した単語辞書、衣服データベース、入力部、出力部とアバター部から構成し、上記の入力文から該当する衣服の特性を抽出しこれを推薦する。
請求項２において、請求項１のユーザによる入力は何らかの行事に参加するという特定の状況を入力する。入力例は、“上司と食事に行く”や“娘の入学式に参加する”などがある。以上の入力からユーザの状況を特定し、さらに状況に合った衣服推薦を実行する。
請求項３では、入力文に含まれる単語とその品詞をシステムが把握するために形態素解析を実行する。
請求項４の各衣服に付加されている６つの指標はそれぞれ、フォーマル度、流行度、スポーティー度、ゴージャス度、上品度と個性度である。各指標は、１０段階の数値で強弱が示される。また、単語辞書の各単語にはフォーマル度、フォーマル度の範囲と行事または人を示す属性が付加される。以上を用いて入力文と衣服のマッチングを行う。
請求項５，６は、請求項４にて抽出された該当単語の指標、例えば食事のフォーマル度が「４」、フォーマル度の範囲が「４以下」、属性が「行事」の場合、推薦される商品はフォーマル度「４以下」の衣服となる。
請求項７では、本システムが推薦した衣服を選択することにより、アバター部で自由に衣服の組み合わせを確認することができる。
請求項８では、行事を供に過ごす相手によってこの行事のフォーマル度が変化することがある。例えば、“家族と食事をする”と“上司と食事をする”を比較した場合、“上司と食事をする”の方がよりフォーマルな行事になる。このように行事のみに着目するのではなく、過ごす相手に応じた衣服推薦も可能。
請求項９は、ユーザがすでに購入済みのアイテムもアバター部で新たに購入する衣服との組み合わせを確認することが可能である。
【発明の効果】
【０００５】
請求項１，２によれば、本システムを利用するユーザの特定の状況を想定することと、入力された状況に合った性質を持つ衣服を衣服データベースから検索し以上を推薦している。従来の商品検索システムとは異なり、キーワードやカテゴリーを推測して検索する必要がなく、ユーザは状況を入力するだけで衣服検索を行うことが可能である。
請求項３によれば、ユーザからの入力文から行事や過ごす相手を示す単語抽出するために形態素解析を行う。入力文を単語単位で分割することで衣服推薦時に使用する単語の指標を容易に抽出できる。
請求項４，５，６によれば、形態素解析により単語単位に分割した解析結果から行事や供に過ごす相手を示す単語を単語辞書から検索し一致する単語に付加されている指標を抽出する。さらに以上の指標を用いて一致する衣服を衣服データベースで検索することでユーザが入力した状況に合った衣服を推薦でき、ユーザが購入を希望する衣服が明確に決まっていなくとも衣服を検索できる優れたシステムである。
請求項７，９によれば、衣服を推薦するだけではなくユーザが推薦された衣服と購入済みの衣服との組み合わせを自由にコーディネートし確認でき、衣服購入前にユーザが好みの衣服の組み合わせを確認できる使い安いシステムである。
【発明を実施するための最良の形態】
【０００６】
ここに、本発明を実施するための最良の形態を図に従って説明する。図１は本発明によるユーザの状況に基づく衣服推薦システムの基本構成を示している。
ユーザの目的に応じた衣服推薦システム１６は、入力部７、形態素解析を行う機構９、入力文から行事や供に過ごす相手を示す単語を検索する機構１０、一致する衣服を検索する機構１１、推薦衣服のカテゴリー分けを行う機構１２、出力部とアバター部１０から構成される。
入力部７は、ユーザが状況を入力することでシステムが入力文を受け取る。
機構９では、入力部から受け取った入力文を形態素解析モジュール１３で形態素解析し、その解析結果は単語とその単語の品詞が入力文から抽出される（処理結果３）。
機構１０は、機構９から抽出された単語と一致する単語辞書から探しだす。ここで一致した単語に付加されている指標と指標の範囲、さらに属性を抽出する（処理結果４）。
機構１１では、機構１０の処理結果４を用い衣服情報DB２から一致する衣服を検索する。ここで一致した衣服はカテゴリー（ジャケット、シャツ、ズボン）に関係なく処理結果５として一旦保管される。
機構１２では、機構１１の処理結果５のカテゴリー分けを行う。カテゴリー分けを行った後の推薦衣服を処理結果６とする。
出力部とアバター部１０は、機構１２の処理結果５を受け取り、以上の推薦衣服の表示を行う。また、選択された衣服は通常より大きく表示され他の副とのコーディネートを行える。
図２は、ユーザが衣服推薦を受けるまでのフローを示す図である。入力部に入力されたユーザの入力は形態素解析され品詞と単語の原形に分別される。以上の単語と単語辞書にて一致した単語あった場合、この単語の指標と指標の範囲、属性を抽出する。次に、抽出した単語の一連のデータを衣服情報DBから一致する衣服を検索し、一致した衣服を推薦商品として表示する。最後にユーザがアバター部で組み合わせを確認し、問題がなければ購入希望商品となる。もし気に入らなければ、指標を変更して再検索も行える。
【図面の簡単な説明】
【０００７】
【図１】本発明によるユーザの状況に基づく衣服推薦システムの基本構成を示す図である。
【図２】ユーザが衣服推薦を受けるまでのフロー図である。
【図３】単語辞書のデータ構造を示す図である。
【図４】衣服情報データベースのデータ構造を示す図である。
【符号の説明】
【０００８】
１  ユーザ
２  衣服情報データベース（DB）
３，４，５，６，  処理結果
７  入力
８  出力
９  形態素解析を行う機構
１０  単語から指標を抽出する機構
１１  衣服を検索する機構
１２  推薦衣服をカテゴリー分けする機構
１３  形態素解析モジュール
１４  指標を用いた衣服検索
１５  ユーザ
１６  衣服推薦システム
【図１】
2009140032.tif 000003
【図２】
2009140032.tif 000004
【図３】
2009140032.tif 000005
【図４】
2009140032.tif 000006